(57)【要約】【課題】機器上の小規模なユーザインタフェースであっても画質調整後の印刷画像を良好に確認できるようにすること。【解決手段】ユーザインタフェースとして、表示装置１１と、ユーザ操作を受けそのユーザ操作に応じて電気的な状態が変化する第１の操作部２３が存在し、表示制御部５２は、印刷対象のオリジナル画像および印刷設定情報を表示装置１１に表示させ、オリジナル画像の表示後、第１の操作部２３に対する所定回数の操作が検出されると、印刷設定情報に基づく画質調整処理をオリジナル画像に施して、印刷画像に近づくように生成された表示用印刷画像を表示装置１１に表示させる。【選択図】図２
2007228010.tif 000002
【特許請求の範囲】
【請求項１】
表示装置と、
ユーザ操作を受けそのユーザ操作に応じて電気的な状態が変化する第１の操作部と、
印刷対象のオリジナル画像および印刷設定情報を上記表示装置に表示させ、上記オリジナル画像および上記印刷設定情報の表示後、上記第１の操作部に対する所定の操作が検出されると、上記印刷設定情報に基づく画質調整処理を上記オリジナル画像に施した印刷画像を表示用に修正した表示用印刷画像を、画面を切り替えて上記表示装置に表示させる表示制御部と、
を備えることを特徴とする画像処理装置。
【請求項２】
ユーザ操作を受けそのユーザ操作に応じて電気的な状態が変化する第２の操作部を備え、
前記表示制御部は、前記表示用印刷画像の表示後、上記第２の操作部に対する操作が検出されると、その操作に応じて、前記表示用印刷画像および前記オリジナル画像の一方のみを交互に、前記表示装置に表示させること、
を特徴とする請求項１記載の画像処理装置。
【請求項３】
前記表示制御部は、前記表示用印刷画像を表示させる場合、前記表示用印刷画像および前記オリジナル画像の両方の、対応する一部分を対比させて同時に前記表示装置に表示させることを特徴とする請求項１記載の画像処理装置。
【請求項４】
前記表示制御部は、前記表示用印刷画像を表示させる場合、前記表示用印刷画像の全領域を２分割した第１および第２の分割領域のうちの上記第１の分割領域と、上記第２の分割領域に相当する前記オリジナル画像の領域とを組み合わせた画像を表示させることを特徴とする請求項１記載の画像処理装置。
【請求項５】
ユーザ操作を受けそのユーザ操作に応じて電気的な状態が変化する第２の操作部を備え、
前記表示制御部は、前記表示用印刷画像の表示後、上記第２の操作部に対する操作が検出されると、その操作に応じて、前記表示用印刷画像の２つの分割領域から前記第１の分割領域と前記第２の分割領域の一方を交互に選択し、前記表示用印刷画像の選択した一方の分割領域と他方の分割領域に相当する前記オリジナル画像の領域とを組み合わせた画像を表示させること、
を特徴とする請求項４記載の画像処理装置。
【請求項６】
前記表示制御部は、前記オリジナル画像の表示後、前記第１の操作部に対する所定の操作が検出されると、前記オリジナル画像に対する画質調整処理が実行され前記表示用印刷画像が表示されるまでの間、所定のメッセージを前記表示装置に表示させることを特徴とする請求項１記載の画像処理装置。
【請求項７】
ユーザ操作を受けそのユーザ操作に応じて電気的な状態が変化する第３の操作部と、
ユーザ操作を受けそのユーザ操作に応じて電気的な状態が変化する第４の操作部とを備え、
前記表示制御部は、上記第３の操作部に対する操作が検出されると、前記表示装置の表示画面を前記印刷設定情報の設定画面とし、上記第４の操作部に対する操作が検出されると、前記表示装置の表示画面を、第３の操作部に対する操作前に表示していた画面に戻し、その画面内の表示用印刷画像を、上記設定画面において変更された前記印刷設定情報に応じた表示用印刷画像に更新すること、
を特徴とする請求項１記載の画像処理装置。
【請求項８】
ユーザ操作を受けそのユーザ操作に応じて電気的な状態が変化する第１の操作部の状態に応じて表示装置を制御するためのコンピュータプログラムであって、
コンピュータに、印刷対象のオリジナル画像および印刷設定情報を上記表示装置に表示させ、上記オリジナル画像および上記印刷設定情報の表示後、上記第１の操作部に対する所定の操作が検出されると、上記印刷設定情報に基づく画質調整処理を上記オリジナル画像に施した印刷画像を表示用に修正した表示用印刷画像を、画面を切り替えて上記表示装置に表示させる表示制御部を実現させるためのコンピュータプログラム。
【請求項９】
請求項１から請求項７のうちのいずれか１項記載の画像処理装置と、
前記印刷設定情報に基づいて前記オリジナル画像から印刷画像を生成する画像処理手段と、
前記画像処理手段により生成された印刷画像を、所定の媒体へ印刷する印刷手段と、
を備えることを特徴とする画像出力装置。
【請求項１０】
印刷対象のオリジナル画像および印刷設定情報を表示装置に表示するステップと、
所定の操作部に対する操作を検出するステップと、
上記オリジナル画像の表示後に上記所定の操作部に対する所定の操作が検出されると、上記印刷設定情報に基づく画質調整処理を上記オリジナル画像に施して印刷画像に近づくように生成された表示用印刷画像を上記表示装置に表示するステップと、
を備えることを特徴とする印刷画像プレビュー方法。
【発明の詳細な説明】
【技術分野】
【０００１】
本発明は、画像処理装置、コンピュータプログラム、画像出力装置および印刷画像プレビュー方法に関するものである。
【背景技術】
【０００２】
従来から１．５〜２．５インチ程度の小型ディスプレイを有するプリンタや複合機がある。そのようなプリンタや複合機のうち、メモリカード、無線通信、有線通信などで画像ファイルを取得し、その画像ファイルに画像処理を施して印刷用データを生成し印刷を行い、パーソナルコンピュータ（ＰＣ）なしで画像印刷を行うことができるものがある。
【０００３】
ＰＣなしで画像印刷を行う場合、プリンタや複合機の小型ディスプレイに、印刷設定情報が表示されたり、選択した画像ファイルの画像が表示されたりする（例えば特許文献１参照）。これにより、ユーザは、ＰＣがなくても、印刷対象の画像ファイルおよび印刷設定情報を確認することができる。
【０００４】
また、画像データとともに、画像撮影時の条件を示す撮影情報および画像印刷時の画像処理の条件を指定する画像処理制御情報を画像ファイル内に格納し、プリンタや複合機において、その撮影情報および画像処理制御情報に基づいて最適な印刷画像となるように画像処理を施した後に画像印刷を行う技術が存在する。そのような技術としては、ＰＩＭ（PRINT Image Matching）、Ｅｘｉｆプリントなどがある。上述のプリンタや複合機において、ＰＣなしで画像印刷を行う場合、プリンタや複合機内で、撮影情報および画像処理制御情報に基づく画質調整処理が実行される。
【０００５】
【特許文献１】特開２００５−１１１８４３号公報（段落００４７、図５等）
【発明の開示】
【発明が解決しようとする課題】
【０００６】
しかしながら、従来のプリンタや複合機では、印刷設定情報自体は確認できるものの、その印刷設定情報に基づき画質調整処理を施した後の印刷画像を印刷前に確認することは困難である。つまり、実際に印刷用紙等の上に印刷される画像がどのような質感のものになるかを印刷前に確認することは困難である。
【０００７】
上述のＰＩＭやＥｘｉｆプリントなどのように撮影情報および画像処理制御情報に基づく画質調整処理が実行される場合、画質調整では色の表現が調節されるのみであるので、オリジナル画像と対比させて画質調整後の画像を確認することが好ましいが、このような機器の場合、ディスプレイの表示サイズおよび操作部が小規模であるため、画質調整前後の画像の対比が難しい。
【０００８】
なお、例えば特開２００５−１４２７４５号公報に記載のように、ＰＣ上において画像処理を行う場合には、１５インチ程度の広い表示サイズ、キーボードやマウスといった多彩な操作部などといった高機能なユーザインタフェースを十分に使用できるが、プリンタ、複合機などの機器に搭載されたユーザインタフェースのみで、上述のような動作をさせることは困難である。
【０００９】
本発明は、上記の問題に鑑みてなされたものであり、機器上の小規模なユーザインタフェースであっても画質調整後の印刷画像を良好に確認することができる画像処理装置、コンピュータプログラム、画像出力装置および印刷画像プレビュー方法を得ることを目的とする。
【課題を解決するための手段】
【００１０】
上記の課題を解決するために、本発明では以下のようにした。
【００１１】
本発明に係る画像処理装置は、表示装置と、ユーザ操作を受けそのユーザ操作に応じて電気的な状態が変化する第１の操作部と、印刷対象のオリジナル画像および印刷設定情報を表示装置に表示させ、オリジナル画像および印刷設定情報の表示後、第１の操作部に対する所定の操作が検出されると、印刷設定情報に基づく画質調整処理をオリジナル画像に施した印刷画像を表示用に修正した表示用印刷画像を、画面を切り替えて表示装置に表示させる表示制御部とを備える。
【００１２】
これにより、表示装置と第１の操作部という機器上の小規模なユーザインタフェースであっても、簡単な操作のみで、印刷設定を確認した上で、その印刷設定に基づく画質調整処理後の印刷画像を表示用印刷画像として良好に確認することができる。
【００１３】
また、本発明に係る画像処理装置は、上記の画像処理装置に加え、次のようにしてもよい。つまり、その場合、表示制御部は、表示用印刷画像の表示後、第１の操作部とは別の第２の操作部に対する操作が検出されると、その操作に応じて、表示用印刷画像およびオリジナル画像の一方のみを交互に表示装置に表示させる。
【００１４】
これにより、第２の操作部に対する操作のみで、表示用印刷画像およびオリジナル画像が交互に表示されるので、表示用印刷画像とオリジナル画像を頻繁に切り替えて表示させて表示用印刷画像とオリジナル画像との間の微妙な相違、つまり画質調整処理の効果も良好に確認することができる。
【００１５】
また、本発明に係る画像処理装置は、上記の画像処理装置のいずれかに加え、次のようにしてもよい。つまり、その場合、表示制御部は、表示用印刷画像を表示させる場合、表示用印刷画像およびオリジナル画像の両方の、対応する一部分を対比させて同時に表示装置に表示させる。
【００１６】
これにより、対比部分を並べて見られるので、表示用印刷画像とオリジナル画像との間の微妙な相違、つまり画質調整処理の効果も良好に確認することができる。
【００１７】
また、本発明に係る画像処理装置は、上記の画像処理装置のいずれかに加え、次のようにしてもよい。つまり、その場合、表示制御部は、表示用印刷画像を表示させる場合、表示用印刷画像の全領域を２分割した第１および第２の分割領域のうちの第１の分割領域と、第２の分割領域に相当するオリジナル画像の領域とを組み合わせた画像を表示させる。
【００１８】
これにより、画像全体としては被写体が第１および第２の分割領域の間で連続して視認することができるので、画質調整処理に起因する画像に対する印象の変化を良好に確認することができる。
【００１９】
また、本発明に係る画像処理装置は、上記の画像処理装置に加え、次のようにしてもよい。つまり、その場合、表示制御部は、表示用印刷画像の表示後、第１の操作部とは別の第２の操作部に対する操作が検出されると、その操作に応じて、表示用印刷画像の２つの分割領域から第１の分割領域と第２の分割領域の一方を交互に選択し、表示用印刷画像の選択した一方の分割領域と他方の分割領域に相当するオリジナル画像の領域とを組み合わせた画像を表示させる。
【００２０】
これにより、画像全体としては被写体が第１および第２の分割領域の間で連続して視認するとともに、第２の操作部で、表示されている画像のうち画質調整処理が適用された領域を切り替えることができるので、画像全域にわたって、画質調整処理に起因する画像に対する印象の変化を良好に確認することができる。
【００２１】
また、本発明に係る画像処理装置は、上記の画像処理装置のいずれかに加え、次のようにしてもよい。つまり、その場合、表示制御部は、オリジナル画像の表示後、第１の操作部に対する所定の操作が検出されると、オリジナル画像に対する画質調整処理が実行され表示用印刷画像が表示されるまでの間、所定のメッセージを表示装置に表示させる。
【００２２】
これにより、現在の処理状況や次の表示画面での操作説明などのメッセージを表示することで、画質調整処理時の待ち時間に起因するユーザのストレスを軽減することができる。
【００２３】
また、本発明に係る画像処理装置は、上記の画像処理装置のいずれかに加え、次のようにしてもよい。つまり、その場合、表示制御部は、第１および第２の操作部とは別の第３の操作部に対する操作が検出されると、表示装置の表示画面を印刷設定情報の設定画面とし、第４の操作部に対する操作が検出されると、表示装置の表示画面を、第３の操作部に対する操作前に表示していた画面に戻し、その画面内の表示用印刷画像を、設定画面において変更された印刷設定情報に応じた表示用印刷画像に更新する。
【００２４】
これにより、印刷設定の変更が簡単な操作で行えるとともに、印刷設定の変更の効果をすぐに確認することができる。
【００２５】
本発明に係るコンピュータプログラムは、ユーザ操作を受けそのユーザ操作に応じて電気的な状態が変化する第１の操作部の状態に応じて表示装置を制御するためのコンピュータプログラムであって、コンピュータに、印刷対象のオリジナル画像および印刷設定情報を表示装置に表示させ、オリジナル画像および印刷設定情報の表示後、第１の操作部に対する所定の操作が検出されると、印刷設定情報に基づく画質調整処理をオリジナル画像に施した印刷画像を表示用に修正した表示用印刷画像を、画面を切り替えて表示装置に表示させる表示制御部を実現させる。
【００２６】
これにより、表示装置と第１の操作部という機器上の小規模なユーザインタフェースであっても、簡単な操作のみで、印刷設定を確認した上で、その印刷設定に基づく画質調整処理後の印刷画像を表示用印刷画像として良好に確認することができる。
【００２７】
本発明に係る画像出力装置は、上記の画像処理装置のいずれかと、印刷設定情報に基づいてオリジナル画像から印刷画像を生成する画像処理手段と、画像処理手段により生成された印刷画像を、所定の媒体へ印刷する印刷手段とを備える。
【００２８】
これにより、表示装置と第１の操作部という機器上の小規模なユーザインタフェースであっても、簡単な操作のみで、印刷設定を確認した上で、その印刷設定に基づく画質調整処理後の印刷画像を表示用印刷画像として良好に印刷前に確認することができる。
【００２９】
本発明に係るプレビュー方法は、印刷対象のオリジナル画像および印刷設定情報を表示装置に表示するステップと、所定の操作部に対する操作を検出するステップと、オリジナル画像および印刷設定情報の表示後、所定の操作部に対する所定の操作が検出されると、印刷設定情報に基づく画質調整処理をオリジナル画像に施した印刷画像を表示用に修正した表示用印刷画像を、画面を切り替えて表示装置に表示するステップとを備える。
【００３０】
これにより、表示装置と所定の操作部という機器上の小規模なユーザインタフェースであっても、簡単な操作のみで、印刷設定を確認した上で、その印刷設定に基づく画質調整処理後の印刷画像を表示用印刷画像として良好に確認することができる。
【発明を実施するための最良の形態】
【００３１】
以下、図に基づいて本発明の実施の形態を説明する。
【００３２】
実施の形態１．
本発明の実施の形態１に係る印刷装置は、メモリカード、無線通信、有線通信などの媒体から画像ファイルを取得し画像ファイルに基づく画像を印刷する画像出力装置である。また、この印刷装置は、印刷前に画像データに対して画質調整などの画像処理を施す画像処理装置としての機能を有する。
【００３３】
図１は、本発明の実施の形態１に係る印刷装置を示す斜視図である。図１に示すように、この印刷装置には、前面に操作パネル１および開閉蓋２がある。開閉蓋２を開くと図示せぬ排紙口および給紙口が現れる。
【００３４】
図２は、図１における操作パネル１の構成を示す図である。操作パネル１は、ユーザインタフェースを構成し、ディスプレイ１１、並びに、上下キー２１Ｕ，２１Ｄおよび左右キー２１Ｌ，２１Ｒからなる十字キー２１、ＯＫキー２２、表示切替キー２３、戻るキー２４、印刷枚数増減キー２５、スタートキー２６、印刷設定キー３１、モード切替キー３２、ストップキー３３、電源キー３４などを有する。各キー２１〜２６，３１〜３４は、単一の操作を検出する電気的なスイッチを有する１部品であり、ユーザによる押下操作を受けるとスイッチの導通状態が変化する。操作パネル１の各キー２１〜２６，３１〜３４の脇にはそのキーの名称が印刷される。これらのキー２１〜２６，３１は、ディスプレイ１１に表示された各種選択肢を選択したり表示状態を移行させる際に操作される。十字キー２１、ＯＫキー２２、表示切替キーおよび印刷設定キー３１は、ディスプレイ１１の周囲に配置される。
【００３５】
図３は、本発明の実施の形態１に係る印刷装置の電気的な構成を示すブロック図である。図３において、ＣＰＵ４１は、コンピュータプログラムを実行し、コンピュータプログラムに記述された処理を実行する演算処理装置である。また、ＲＯＭ４２は、コンピュータプログラムおよびデータを予め記憶したフラッシュＲＯＭなどの不揮発性メモリであり記録媒体である。また、ＲＡＭ４３は、コンピュータプログラムを実行する際にそのプログラムおよびデータを一時的に記憶するメモリである。
【００３６】
また、ディスプレイ１１は、１．５〜３．０インチ程度の表示領域を有する液晶ディスプレイ装置、有機ＥＬディスプレイ装置などといった表示装置である。また、操作部４４は、上述のキー２１〜２６，３１〜３３などの、ユーザによる操作を電気的に検出する部品を有する部分である。
【００３７】
また、メモリカードインタフェース４５は、図示せぬメモリカードを挿入されるとメモリカードに電気的に接続するインタフェース回路である。メモリカードはメモリカードインタフェース４５に対して挿抜可能である。このようなメモリカードとしては、ＳＤカード、メモリースティックなどがあり、メモリカードには、画像データを含む画像ファイルなどが格納される。なお、画像ファイルは、例えば、ＪＰＥＧ（Joint Picture Experts Group ）方式の画像データを含むＥｘｉｆ形式のファイルである。
【００３８】
また、通信インタフェース４６は、パーソナルコンピュータ、デジタルカメラなどの機器をケーブルまたは無線通信で接続され、動画ファイル、静止画ファイルなどを受信するインタフェース回路である。通信インタフェース４６は、ＵＳＢ（Universal Serial Bus）、ブルートゥース、赤外線通信などの有線または無線の通信規格に準拠したものとされる。
【００３９】
また、印刷部４７は、インクを吐出する印刷ヘッド、給排紙用のモータ、印刷用紙や印刷ヘッドの位置を検出するセンサなどを有し、印刷用紙に対して画像を印刷する印刷手段である。インタフェース４８は、印刷部４７における各要素に電気的に接続され、印刷部４７への制御信号を供給したり、印刷部４７からのセンサ信号を取得したりするインタフェース回路である。
【００４０】
また、バス４９は、ＣＰＵ４１、ＲＯＭ４２、ＲＡＭ４３、操作部４４、ディスプレイ１１、メモリカードインタフェース４５、通信インタフェース４６およびインタフェース４８を相互に接続する信号路である。ＣＰＵ４１は、バス４９を介して、操作部４４、ディスプレイ１１、メモリカードインタフェース４５、通信インタフェース４６およびインタフェース４８とのデータの授受を行う。なお、バス４９の形態は図３のものに限定されるものではない。
【００４１】
なお、画像ファイルを蓄積する大規模データ格納装置がバス４９に接続され、メモリカードインタフェース４５およびメモリカードの代わりに、あるいはともに使用されるようにしてもよい。そのような大規模データ格納装置としては、ハードディスクドライブ、光学ディスクメディアを挿入されたディスクドライブなどがある。
【００４２】
図４は、図３におけるＣＰＵ４１により所定のコンピュータプログラムが実行されることで実現される各処理部を示すブロック図である。ＣＰＵ４１がＲＯＭ４２などに格納されたコンピュータプログラムをロードし実行することにより各種機能を有する処理部が図４に示すように実現される。
【００４３】
図４において、印刷設定制御部５１は、印刷設定情報を管理し、ＲＯＭ４２などに予め格納されるデフォルトの印刷設定情報、操作部４４を介して各印刷画像について個別に入力される印刷設定などに基づいて、各印刷画像についての印刷設定を特定し、その印刷設定情報を表示制御部５２および印刷制御部５３に供給する処理部である。
【００４４】
また、表示制御部５２は、ディスプレイ１１を制御して文字、画像などの各種情報をディスプレイ１１に表示させるとともに、操作部４４に対するユーザ操作に基づいて、ディスプレイ１１の表示状態を遷移させる処理部である。
【００４５】
また、印刷制御部５３は、画像処理部５４により生成された印刷画像の印刷処理を実行する処理部である。印刷制御部５３は、画像処理部５４を使用しつつ、インタフェース４８を介して印刷部４７を制御して印刷処理を実行し、印刷用紙に画像を印刷させる。
【００４６】
また、画像処理部５４は、画像処理手段としての印刷用画像処理部５４ａ、および表示用画像処理部５４ｂを有する。印刷用画像処理部５４ａは、画像印刷のために、画像ファイル内の画像データに対して画質調整処理、色変換処理、ハーフトーン処理などの画像処理を実行する処理部である。表示用画像処理部５４ｂは、画像表示のために、画像ファイル内の画像データに対して画質調整処理などの画像処理を実行する処理部である。印刷用画像処理部５４ａは、画像ファイル内に撮影情報および画像処理制御情報が存在する場合には、それらに基づいて画質調整処理を実行して印刷画像を生成する。また、表示用画像処理部５４ｂは、画像ファイル内に撮影情報および画像処理制御情報が存在する場合には、撮影情報、画像処理制御情報および表示校正データに基づいて画質調整処理を実行して表示用印刷画像を生成する。表示校正データは、実際に印刷される印刷画像とディスプレイ１１に表示される表示用印刷画像とが同様に視認されるように画像制御情報を校正するためのデータであって、各機種に固有なためＲＯＭ４２などに予め格納される。画像ファイル内に格納される画像処理制御情報は、プリンタ向けのものでありディスプレイ向けのものではなく、かつプリンタとディスプレイとでは色表現が異なるため、ディスプレイ１１に印刷画像と同様の質感の画像を表示させるには、画像処理制御情報の修正が必要となり、その修正の情報が表示校正データに含まれる。
【００４７】
なお、印刷用画像処理部５４ａでの画像処理としては、例えば特開２００２−３４４９８９号公報に開示されるものを使用することができる。また、表示用画像処理部５４ｂでの画像処理としては、例えば特開２００５−１６７９２９号公報に開示されるものを使用することができる。
【００４８】
印刷用画像処理部５４ａは、画質調整処理において、画像データを解析してその画像データの特性を示す画像統計値（特性パラメータ値）を取得し、所定の基準パラメータ値および画像統計値との偏差並びに画像処理制御情報に基づいて自動画質調整パラメータを決定する。そして、印刷用画像処理部５４ａは、この自動画質調整パラメータに基づいてその画像データの画質を調整する。自動画質調整パラメータには、シャドウ、ハイライト、明度、コントラスト、カラーバランス、記憶色などのパラメータがある。
【００４９】
印刷用画像処理部５４ａは、シャドウ、ハイライト、明度、コントラスト、カラーバランス、記憶色補正の各自動画質調整パラメータに対しては、画像データのＲＧＢ成分の入力レベルと出力レベルとを対応付けるトーンカーブ（Ｓカーブ）を用いて画質の調整を実行する。トーンカーブを用いて画質を調整する場合には、自動画質調整パラメータの値を反映して、ＲＧＢの各成分のトーンカーブが変更され、最後に、変更されたＲＧＢの各成分のトーンカーブを用いて画像データのＲＧＢの各成分が修正される。これにより、画質が調整された画像データが得られる。
【００５０】
各自動画質調整パラメータに基づく画質調整処理は、例えば、以下のように実行される。コントラスト、シャドー、ハイライトについては、画像データからシャドウポイントとハイライトポイントとが検出され、これらのシャドウポイントとハイライトポイントの値に基づいて、全体のレベル補正が実行される。また、輝度標準偏差に基づいてトーンカーブの補正が実行される。明るさについては、画像データを１４分割した個々の領域から計算される輝度値に基づいて、画像が暗いか（露出不足）、明るいか（露出超過）が判定され、判定結果に応じてトーンカーブが補正される。カラーバランスについては、画像データのＲＧＢ各成分のヒストグラムからカラーバランスの偏りが分析され、ＲＧＢ各成分のトーンカーブがそれぞれ補正される。これにより、色かぶりが軽減される。彩度については、画像データの彩度分布が分析され、彩度分布に応じて彩度が強調される。したがって、低彩度の画像データほど彩度強調のレベルが大きくなる。シャープネスについては、空間周波数が高い風景と、低い人物とでは異なるアンシャープマスクが使用される。記憶色については、記憶色と呼ばれる「肌色」、「緑色」、「空色」、「夕陽の赤色」等について、画像データから該当する画層が抽出され、各記憶色として好ましい色になるよう補正が実行される。
【００５１】
また、色変換処理では、画質調整処理後の画像データの色空間が、ＣＭＹＫ色空間へ変換され、印刷時のインク種類に対応する色空間へ変換される。また、ハーフトーン処理では、色変換済みの画像データの階調数が変換される。例えば、色変換後の画像データは各色毎に２５６階調のデータとされる。一方、印刷時には、印刷時のドットの有無を表す２階調のデータが使用されるため、階調が変換される。２階調化の方法としては、誤差拡散法、組織的ディザ法などがある。
【００５２】
一方、表示用画像処理部５４ｂは、画質調整処理において、表示校正データに基づいて自動画質調整パラメータの値を校正し、校正後の自動画質調整パラメータの値を使用して、画質の調整を行う。
【００５３】
次に、上記装置の動作について説明する。図５は、本発明の実施の形態１に係る印刷装置の動作を説明するフローチャートである。図６は、図５におけるステップＳ１〜Ｓ３の動作時のディスプレイ１１の表示状態の遷移図である。
【００５４】
まず、ＣＰＵ４１は、ＲＯＭ４２などに格納されている所定のコンピュータプログラムをロードして実行する。これにより、図４に示す各処理部が実現される。
【００５５】
次に、画像ファイルの格納場所としてメモリカードが使用される場合、表示制御部５２は、メモリカードインタフェース４５を介して、メモリカードの内の画像ファイルのリストを取得し、その画像ファイルの名称などの一覧をディスプレイ１１に表示させる。その後、表示制御部５２は、操作部４４の状態を監視して、操作部４４へのユーザ操作を待ち、ユーザによる選択操作が検出されると、その選択操作に応じた画像ファイルを選択する（ステップＳ１）。
【００５６】
表示制御部５２は、画像ファイルを選択すると、その画像ファイルの画像データに基づき、オリジナル画像をその時点での印刷設定情報とともに、ディスプレイ１１に表示させる（状態Ｐ１）。図７は、実施の形態１における状態Ｐ１でのディスプレイ１１の表示画面の例を示す図である。状態Ｐ１では、オリジナル画像６１、操作説明６２および印刷設定情報６３が表示される。操作説明６２および印刷設定情報６３は、ディスプレイ１１の表示領域の縁付近に、オリジナル画像６１の上に重畳されて表示される。このため、オリジナル画像６１の一部は隠れる。なお、表示される印刷設定情報６３は、用紙種類、用紙サイズ、印刷レイアウト、印刷品質、画質調整、印刷枚数などの印刷設定情報の一部または全部である。状態Ｐ１では、操作説明６２のとおり、スタートキー２６には印刷開始動作が割り当てられ、印刷設定キー３１には印刷設定変更動作が割り当てられている。なお、状態Ｐ１では、操作説明６２とともに、各色のインク残量を示すインクインジケータ６２ａが併せて表示される。
【００５７】
表示制御部５２は、状態Ｐ１（図７）で、表示切替キー２３が押下操作されると、それを検出し、ディスプレイ１１の表示状態を状態Ｐ２に遷移させる。図８は、実施の形態１における状態Ｐ２でのディスプレイ１１の表示画面の例を示す図である。
【００５８】
状態Ｐ２では、ディスプレイ１１の表示画面は、ズーム操作画面となる。その際、表示制御部５２は、オリジナル画像６１に、操作説明６２およびズーム枠画像７１を重畳させて表示させる。ズーム枠画像７１は、枠の中心に中心表示マーク７１ａを有する。表示制御部５２は、操作説明６２のとおり、所定の操作部４４に対する操作があると、画像６１を拡大・縮小させたり回転させたりする。すなわち、印刷枚数増減キー２５の「＋」キーが押下されると、画像６１が中心表示マーク７１ａの位置を中心にして拡大され、印刷枚数増減キー２５の「−」キーが押下されると、画像６１が中心表示マーク７１ａの位置を中心にして縮小され、印刷設定キー３１が押下されると、中心表示マーク７１ａの位置を中心にして回転される。また、十字キー２１が押下されると、表示制御部５２は、押下されたキーに対応する方向へズーム枠画像７１を移動させる。
【００５９】
そして、表示制御部５２は、状態Ｐ２（図８）で、状態Ｐ１からＰ２への遷移の際と同一の表示切替キー２３が押下操作されると、それを検出し、印刷設定情報を参照し画質調整処理がオンである（オフではない）場合には、ディスプレイ１１の表示状態を状態Ｐ３に遷移させる。状態Ｐ２において表示切替キー２３の押下以外の操作がされなければ、オリジナル画像６１は特に変更されない。表示制御部５２は、状態Ｐ３では、表示用画像処理部５４ｂに対して、画像データに対する表示のための画質調整処理を実行させる。その場合、表示用画像処理部５４ｂは、オリジナル画像６１（状態Ｐ２でのズーム処理後の画像を含む）の画像データに対して、印刷設定情報に基づいて表示用の画質調整処理を実行する（ステップＳ２）。図９は、実施の形態１における状態Ｐ３でのディスプレイ１１の表示画面の例を示す図である。画質調整処理には数秒を要するため、画質調整処理完了まで、表示制御部５２は、図９に示すようなメッセージを表示させる。
【００６０】
表示用画像処理部５４ｂによる画質調整が完了すると、ユーザ操作なしで自動的に、表示制御部５２は、ディスプレイ１１の表示状態を状態Ｐ４に遷移させる。図１０は、状態Ｐ４でのディスプレイ１１の表示画面の例を示す図である。状態Ｐ４では、表示用の画質調整が施された表示用印刷画像６１ａがディスプレイ１１に表示される。その際、状態Ｐ１（図７）のような印刷設定情報６３等は表示用印刷画像６１ａに重畳表示されず、画質調整処理の有無、種類などの情報を示す画像８１のみが、ディスプレイ１１の隅に表示される。なお、図１０における画像８１には、状態Ｐ４での状態遷移動作が割り当てられた上下キー２１Ｕ，２１Ｄを模した画像が画像８１に含まれて表示される。
【００６１】
すなわち、状態Ｐ１のオリジナル画像６１および印刷設定情報６３の表示から、表示切替キー２３が２回押下されると、状態Ｐ１で表示された画像６１に対して印刷設定情報６３に基づく画質調整が施された画像が、状態Ｐ３を経て状態Ｐ４の表示用印刷画像６１ａとして表示される。
【００６２】
そして、表示制御部５２は、状態Ｐ４（図１０）で、上下キー２１Ｕ，２１Ｄのいずれかが押下操作されると、それを検出し、ディスプレイ１１の表示状態を状態Ｐ５に遷移させる。図１１は、実施の形態１における状態Ｐ５でのディスプレイ１１の表示画面の例を示す図である。状態Ｐ５では、オリジナル画像６１（または状態Ｐ２でのズーム処理後の画像）がディスプレイ１１に表示される。その際、状態Ｐ４（図１０）と同様に、印刷設定情報６３等は重畳表示されず、画質調整前の画像である旨を示す画像８１が、ディスプレイ１１の隅に表示される。
【００６３】
さらに、表示制御部５２は、状態Ｐ５（図１１）で、上下キー２１Ｕ，２１Ｄのいずれかが押下操作されると、それを検出し、ディスプレイ１１の表示状態を状態Ｐ４に遷移させる。これにより、十字キー２１の上下キー２１Ｕ，２１Ｄのいずれかが押下操作される毎に、ディスプレイ１１の表示状態が状態Ｐ４と状態Ｐ５との間を交互に遷移し、オリジナル画像６１と表示用印刷画像６１ａが交互に表示される（ステップＳ３）。
【００６４】
このように、上下キーの押下ごとにオリジナル画像６１と表示用印刷画像６１ａが交互に表示されることで、両者を対比してのプレビューが可能となる。
【００６５】
他方、状態Ｐ２（図８）で、状態Ｐ１からＰ２への遷移の際と同一の表示切替キー２３が押下操作された場合、画質調整処理がオフであるときには、表示制御部５２は、ディスプレイ１１の表示状態を状態Ｐ６に遷移させ、状態Ｐ５と同様に、オリジナル画像６１をディスプレイ１１に表示させる。
【００６６】
状態Ｐ１，Ｐ４，Ｐ５，Ｐ６において、画像６１，６１ａを印刷したい場合には、ユーザはスタートボタン２６を押下する。表示制御部５２は、その操作を検出すると（ステップＳ４）、印刷制御部５３にその画像の印刷処理を開始させる。印刷制御部５３は、印刷用画像処理を印刷用画像処理部５４ａに実行させつつ（ステップＳ５）、インタフェース４８を介して印刷部４７を制御して印刷処理を実行し、印刷用紙などの媒体に印刷画像を印刷させる（ステップＳ６）。
【００６７】
一方、状態Ｐ１，Ｐ４，Ｐ５，Ｐ６において印刷設定キー３１が押下されると、表示制御部５２は、それを検出し、ディスプレイ１１の表示状態を状態Ｐ７に遷移させる。図１２は、実施の形態１における状態Ｐ７でのディスプレイ１１の表示画面の例を示す図である。状態Ｐ７では、印刷設定の変更が可能である。図１２に示すように印刷設定画面では、その時点での印刷設定情報のメニュー９１が表示されるとともに操作説明６２が表示される。状態Ｐ７では、上下キー２１Ｕ，２１Ｄが押下されると、表示制御部５２は、それを検出し、カーソル枠画像９２が画面中で上下に移動させて表示させる。また、十字キー２１の右キー２１Ｒが押下されると、表示制御部５２は、それを検出し、メニュー９１内でカーソル枠画像９２が位置する印刷設定項目の値を切り替え、値の切替をディスプレイ１１での表示に反映させる。図１２に示す状態で右キー２１Ｒが押下されると、押下操作の回数に応じて選択肢（「パターン１」、「パターン２」、「オフ」など）が順番に表示されて画質調整の種類が変更されたり、画質調整がオフに変更される。
【００６８】
印刷設定情報の変更が完了すると、ユーザは、変更を確定するために、ＯＫキー２２を押下する。表示制御部５２は、その操作を検出すると、ディスプレイ１１の表示状態を、状態Ｐ７へ遷移する前の状態へ戻し、変更を各状態での表示内容に反映させる。つまり、状態Ｐ７から状態Ｐ１へ戻る場合には、印刷設定情報６３として、変更後のものが表示される。状態Ｐ７から状態Ｐ４，Ｐ５，Ｐ６へ戻る場合に画質調整オンのとき（オフではないとき）には、表示制御部５２は、ディスプレイ１１の表示状態を、状態Ｐ４へ（もしくは状態Ｐ３を経由して状態Ｐ４へ）遷移させ、変更後の設定で画質調整を施した画像６１ａのデータを表示用画像処理部５４ｂに生成させ、その画像６１ａをディスプレイ１１に表示させる。また、状態Ｐ７から状態Ｐ４，Ｐ５，Ｐ６へ戻る場合に画質調整オフのときには、表示制御部５２は、ディスプレイ１１の表示状態を状態Ｐ６へ遷移させ、オリジナル画像６１をディスプレイ１１に表示させる。
【００６９】
また、状態Ｐ４，Ｐ５，Ｐ６において表示切替キー２３が押下されると、表示制御部５２は、それを検出し、ディスプレイの表示状態を状態Ｐ８に遷移させる。図１３は、実施の形態１における状態Ｐ８でのディスプレイ１１の表示画面の例を示す図である。状態Ｐ８では、印刷対象となる画像ファイルの選択・変更が可能である。状態Ｐ８では、例えばメモリカード内の１または複数の画像ファイルのサムネイル画像１０１が列挙されて表示されるとともに、カーソル枠画像１０２が併せて表示される。状態Ｐ８では、表示制御部５２は、十字キー２１のいずれかへの操作を検出すると、そのキーに対応する方向へカーソル枠画像１０２を移動させて表示させる。そして、状態Ｐ８で表示切替キー２３が押下されると、表示制御部５２は、その操作を検出し、その時点でカーソル枠画像１０２が位置するサムネイル画像１０１の画像ファイルを印刷対象に選択し、ディスプレイ１１の表示状態を状態Ｐ１に遷移させて、その選択した画像ファイルについてのオリジナル画像６１および印刷設定情報６３をディスプレイ１１に表示させる。それ以降の動作については、上述した場合と同様である。したがって、表示切替キー２３が繰り返し押下されると、ディスプレイ１１の表示状態は状態Ｐ１，Ｐ２，Ｐ３（またはＰ６），Ｐ８の順番で周期的に変化する。
【００７０】
以上のように、上記実施の形態１によれば、ユーザインタフェースとして、表示装置としてのディスプレイ１１と、ユーザ操作を受けそのユーザ操作に応じて電気的な状態が変化する第１の操作部としての表示切替キー２３が存在し、表示制御部５２は、印刷対象のオリジナル画像６１および印刷設定情報６３をディスプレイ１１に表示させ、オリジナル画像６１の表示後、表示切替キー２３に対する所定回数（実施の形態１では２回）の操作が検出されると、印刷設定情報６３に基づく画質調整処理をオリジナル画像６１に施して、印刷画像に近づくように生成された表示用印刷画像６１ａをディスプレイ１１に表示させる。これにより、ディスプレイ１１と表示切替キー２３のみという機器上の小規模なユーザインタフェースであっても、簡単な操作のみで、印刷設定を確認した上で、その印刷設定に基づく画質調整処理後の印刷画像（印刷用紙上に印刷される画像）をディスプレイ１１での表示用印刷画像６１ａとして良好に確認することができる。
【００７１】
また、上記実施の形態１によれば、表示制御部５２は、表示用印刷画像６１ａの表示後、第２の操作部としての上下キー２１Ｕ，２１Ｄに対する操作が検出されると、その操作に応じて、表示用印刷画像６１ａおよびオリジナル画像６１の一方のみを交互にディスプレイ１１に表示させる。これにより、上下キー２１Ｕ，２１Ｄに対する操作のみで、表示用印刷画像６１ａおよびオリジナル画像６１が交互に表示されるので、表示用印刷画像６１ａとオリジナル画像６１との間の微妙な相違、つまり画質調整処理の効果も良好に確認することができる。
【００７２】
また、上記実施の形態１によれば、表示制御部５２は、オリジナル画像６１の表示後、表示切替キー２３に対する所定回数（実施の形態１では２回）の操作が検出されると、オリジナル画像６１に対する画質調整処理が実行され表示用印刷画像６１ａが表示されるまでの間、所定のメッセージをディスプレイ１１に表示させる。これにより、現在の処理状況や次の表示画面での操作説明などのメッセージを表示することで、画質調整処理時の待ち時間に起因するユーザのストレスを軽減することができる。
【００７３】
また、上記実施の形態１によれば、表示制御部５２は、第３の操作部としての印刷設定キー３１に対する操作が検出されると、ディスプレイ１１の表示画面を設定画面とし、その後、第４の操作部としてのＯＫキー２２に対する操作が検出されると、ディスプレイ１１の表示画面を、印刷設定キー３１に対する操作前に表示していた画面に戻し、その画面内の表示用印刷画像６１ａを、その設定画面において変更された印刷設定情報に応じた表示用印刷画像６１ａに更新する。これにより、印刷設定の変更が簡単な操作で行えるとともに、印刷設定の変更をすぐに確認することができる。
【００７４】
実施の形態２．
本発明の実施の形態２に係る印刷装置は、実施の形態１に係る印刷装置における状態Ｐ４および状態Ｐ５での表示画面を変更したものである。したがって、実施の形態２に係る印刷装置の構成並びに状態Ｐ４，Ｐ５以外での動作については実施の形態１の場合と同様であるので、その説明を省略する。
【００７５】
実施の形態２では、状態Ｐ４において、オリジナル画像６１（ズーム処理があった場合にはズーム処理後の画像）および表示用印刷画像６１ａを合成した画像が表示される。合成後の画像は、一方の半分をオリジナル画像６１、他方の半分を表示用印刷画像６１ａとしたものである。つまり、状態Ｐ４では、オリジナル画像６１の一部（部分領域）に画質調整処理を施した画像がディスプレイ１１に表示される。そして、状態Ｐ５では、状態Ｐ４においてオリジナル画像６１であった領域が表示用印刷画像６１ａの領域となり、状態Ｐ４において表示用印刷画像６１ａであった領域がオリジナル画像６１の領域となる。
【００７６】
図１４は、実施の形態２における状態Ｐ４でのディスプレイ１１の表示画面の例を示す図である。図１５は、実施の形態２における状態Ｐ５でのディスプレイ１１の表示画面の例を示す図である。図１４に示すように、状態Ｐ４では、ディスプレイ１１の左半分には、オリジナル画像６１の左半分の領域６１Ｌが表示され、ディスプレイ１１の右半分には、表示用印刷画像６１ａの右半分の領域６１ａＲが表示される。一方、状態Ｐ５では、図１５に示すように、ディスプレイ１１の左半分には、表示用印刷画像６１ａの左半分の領域６１ａＬが表示され、ディスプレイ１１の右半分には、オリジナル画像６１の右半分の領域６１Ｒが表示される。なお、図１４および図１５の図中央の縦ラインは、説明の便宜上描画しているが、なくてもよい。
【００７７】
以上のように、上記実施の形態２によれば、表示制御部５２は、表示用印刷画像６１ａを表示させる場合、表示用印刷画像６１ａの全領域を２分割した第１および第２の分割領域６１ａＬ，６１ａＲのうちの第１の分割領域６１ａＬ（６１ａＲ）と、第２の分割領域に相当するオリジナル画像６１の領域６１Ｒ（６１Ｌ）とを組み合わせて表示させる。これにより、図１４および図１５に示すように画像全体としては被写体が第１および第２の分割領域の間で連続して視認することができるので、画質調整処理による画像に対する印象の変化を良好に確認することができる。
【００７８】
また、上記実施の形態２によれば、表示制御部５２は、表示用印刷画像６１ａ（部分領域６１ａＲ）の表示後、上下キー２１Ｕ，２１Ｄに対する操作が検出されると、その操作に応じて、表示用印刷画像６１ａの第１の分割領域６１ａＬと第２の分割領域６１ａＲを交互に選択し、表示用印刷画像６１ａの選択した一方の分割領域６１ａＬ（６１ａＲ）と他方の分割領域に相当するオリジナル画像６１の領域６１Ｒ（６１Ｌ）とを組み合わせて表示させる。これにより、画像全体としては被写体が第１および第２の分割領域（６１Ｌと６１ａＲ、または６１ａＬと６１Ｒ）の間で連続して視認するとともに、上下キー２１Ｕ，２１Ｄで、表示されている画像の全域のうち画質調整処理が適用された領域を切り替えることができるので、画像全域にわたって、画質調整処理による画像に対する印象の変化を良好に確認することができる。
【００７９】
実施の形態３．
本発明の実施の形態３に係る印刷装置は、実施の形態１に係る印刷装置における状態Ｐ４および状態Ｐ５での表示画面を状態４に集約したものである。したがって、実施の形態３に係る印刷装置の構成並びに状態Ｐ４以外での動作については実施の形態１の場合と同様であるので、その説明を省略する。
【００８０】
実施の形態３では、状態Ｐ４において、オリジナル画像６１（ズーム処理があった場合にはズーム処理後の画像）および表示用印刷画像６１ａの２つの画像が表示される。図１６は、実施の形態３における状態Ｐ４でのディスプレイ１１の表示画面の例を示す図である。図１６に示すように、状態Ｐ４では、ディスプレイ１１の左半分の表示領域１１Ｌに表示用印刷画像６１ａの全領域が表示され、右半分の表示領域１１Ｒにオリジナル画像６１の全領域が表示される。
【００８１】
以上のように、上記実施の形態３によれば、オリジナル画像６１および表示用印刷画像６１ａが同時に対比して表示されるため、画像全域にわたって、画質調整処理による画像に対する印象の変化を良好に確認することができる。
【００８２】
実施の形態４．
本発明の実施の形態４に係る印刷装置は、実施の形態１に係る印刷装置における状態Ｐ４および状態Ｐ５の表示画面を変更したものである。したがって、実施の形態４に係る印刷装置の構成および状態Ｐ４，Ｐ５以外での動作については実施の形態１の場合と同様であるので、その説明を省略する。
【００８３】
実施の形態４では、状態Ｐ４において、オリジナル画像６１（ズーム処理があった場合にはズーム処理後の画像）の一部およびそれに対応する表示用印刷画像６１ａの一部の２つの画像が表示される。そして、状態Ｐ５では、オリジナル画像６１（ズーム処理があった場合にはズーム処理後の画像）の他の一部およびそれに対応する表示用印刷画像６１ａの他の一部の２つの画像が表示される。
【００８４】
図１７は、実施の形態４における状態Ｐ４でのディスプレイ１１の表示画面の例を示す図である。図１８は、実施の形態４における状態Ｐ５でのディスプレイ１１の表示画面の例を示す図である。図１７に示すように、状態Ｐ４では、ディスプレイ１１の左半分の表示領域１１Ｌに表示用印刷画像６１ａの左半分の領域が表示され、右半分の表示領域１１Ｒにオリジナル画像６１の左半分の領域が表示される。また、図１８に示すように、状態Ｐ５では、左半分の表示領域１１Ｌに表示用印刷画像６１ａの右半分の領域が表示され、右半分の表示領域１１Ｒにオリジナル画像６１の右半分の領域が表示される。
【００８５】
なお、図１７および図１８に示す例のようにディスプレイ１１の表示領域を左右の表示領域１１Ｌ，１１Ｒに分割して、画像の一部を対比表示する場合には、状態Ｐ４と状態Ｐ５との状態遷移に割り当てる操作部４４を十字キー２１の上下キーの代わりに左右キーとしてもよい。また、図１７および図１８に示す例では、ディスプレイ１１の表示領域を左右の表示領域１１Ｌ，１１Ｒに分割して画像の一部同士を対比表示しているが、ディスプレイの表示領域を上下の表示領域に分割して、画像６１，６１ａを上下に分割した場合の一部同士を同様にして対比表示するようにしてもよい。
【００８６】
なお、対比表示される部分は、状態Ｐ４，Ｐ５の各状態においては、画像６１，６１ａの一部であるが、印刷される場合には、画像の全領域が印刷される。
【００８７】
以上のように、上記実施の形態４によれば、表示制御部５２は、表示用印刷画像６１ａを表示させる場合、表示用印刷画像６１ａおよびオリジナル画像６１の両方の対応する一部分を対比させて同時にディスプレイ１１に表示させる。これにより、対比部分を並べて見られるので、表示用印刷画像６１ａとオリジナル画像６１との間の微妙な相違、つまり画質調整処理の効果も良好に確認することができる。
【００８８】
なお、上述の各実施の形態は、本発明の好適な例であるが、本発明は、これらに限定されるものではなく、本発明の要旨を逸脱しない範囲において、種々の変形、変更が可能である。
【００８９】
例えば、上記実施の形態の状態Ｐ４において、状態Ｐ２のようなズーム操作の表示をし、ユーザにより選択された領域についてオリジナル画像６１および印刷用表示画像６１ａを対比して表示させるようにしてもよい。なお、その場合でも、印刷時には、対比箇所のみではなく画像全体が印刷される。
【００９０】
また、上記各実施の形態では、表示切替キー２３が２回押下されると画質調整後の表示用印刷画像６１ａが表示されるが、状態Ｐ２を省略して、状態Ｐ１において、表示切替キー２３が１回押下されると、ディスプレイ１１の表示状態を直接に状態Ｐ４へ遷移させ、表示用印刷画像６１ａが表示されるようにしてもよい。あるいは、状態Ｐ１において、上下キー２１Ｕ，２１Ｄが押下されると、ディスプレイ１１の表示状態を状態Ｐ４へ遷移させるようにしてもよい。あるいは、操作パネル１にプレビューキーを別途設け、そのプレビューキーを押下すると、状態Ｐ４へ遷移するようにしてもよい。いずれの場合においても、１つの操作部（操作キー）のみを所定回数操作するだけで、ディスプレイ１１の表示状態を状態Ｐ１から状態Ｐ４へ遷移させることが可能である。
【００９１】
また、上記各実施の形態における状態Ｐ４，Ｐ５において重畳的に表示される画像８１の表示位置を、所定の操作部に対する操作に応じて、表示制御部５２が移動させるようにしてもよい。その場合、画像８１の表示位置を移動させることにより、画像６１，６１ａにおいて画像８１により隠れる箇所を視認することができる。また、そのような操作を行う操作部としては、例えば、十字キー２１のうち、状態Ｐ４と状態Ｐ５との間の遷移に使用されるキー以外のキーを使用すればよい。
【産業上の利用可能性】
【００９２】
本発明は、例えば、画像データファイルに対して画像処理を行い画像を印刷するプリンタ、複合機などに適用可能である。
【図面の簡単な説明】
【００９３】
【図１】本発明の実施の形態１に係る印刷装置を示す斜視図である。
【図２】図１における操作パネルの構成を示す図である。
【図３】実施の形態１に係る印刷装置の電気的な構成を示すブロック図である。
【図４】図３のＣＰＵにおいて実現される各処理部を示すブロック図である。
【図５】実施の形態１に係る印刷装置の動作を説明するフローチャートである。
【図６】図５のステップＳ１〜Ｓ３でのディスプレイの表示状態の遷移図である。
【図７】実施の形態１における状態Ｐ１での表示画面の例を示す図である。
【図８】実施の形態１における状態Ｐ２での表示画面の例を示す図である。
【図９】実施の形態１における状態Ｐ３での表示画面の例を示す図である。
【図１０】実施の形態１における状態Ｐ４での表示画面の例を示す図である。
【図１１】実施の形態１における状態Ｐ５での表示画面の例を示す図である。
【図１２】実施の形態１における状態Ｐ７での表示画面の例を示す図である。
【図１３】実施の形態１における状態Ｐ８での表示画面の例を示す図である。
【図１４】実施の形態２における状態Ｐ４での表示画面の例を示す図である。
【図１５】実施の形態２における状態Ｐ５での表示画面の例を示す図である。
【図１６】実施の形態３における状態Ｐ４での表示画面の例を示す図である。
【図１７】実施の形態４における状態Ｐ４での表示画面の例を示す図である。
【図１８】実施の形態４における状態Ｐ５での表示画面の例を示す図である。
【符号の説明】
【００９４】
１１  ディスプレイ（表示装置），２１Ｕ，２１Ｄ  上下キー（第２の操作部），２２  ＯＫキー（第４の操作部），２３  表示切替キー（第１の操作部），３１  印刷設定キー（第３の操作部），４７  印刷部（印刷手段），５２  表示制御部，５４ａ  印刷用画像処理部（画像処理手段）６１  オリジナル画像，６１ａ  表示用印刷画像，６３  印刷設定情報
【図１】
2007228010.tif 000003
【図２】
2007228010.tif 000004
【図３】
2007228010.tif 000005
【図４】
2007228010.tif 000006
【図５】
2007228010.tif 000007
【図６】
2007228010.tif 000008
【図７】
2007228010.tif 000009
【図８】
2007228010.tif 000010
【図９】
2007228010.tif 000011
【図１０】
2007228010.tif 000012
【図１１】
2007228010.tif 000013
【図１２】
2007228010.tif 000014
【図１３】
2007228010.tif 000015
【図１４】
2007228010.tif 000016
【図１５】
2007228010.tif 000017
【図１６】
2007228010.tif 000018
【図１７】
2007228010.tif 000019
【図１８】
2007228010.tif 000020